(57)【要約】【課題】ＯＳＤ画像に歪が生じることはなく、またＯＳＤ発生部に小規模のものを使用できるようにする。【解決手段】ＯＳＤ発生部で発生するＯＳＤ画像のサイズによって入力映像信号が有する映像フォーマットの１画面を複数に分割し、前記ＯＳＤ発生部において前記入力映像信号の１画面当り複数のＯＳＤ画像を発生させて前記分割画面の個々に割り当て、複数のＯＳＤ画像の合成により前記入力映像信号が有する像フォーマットに応じたサイズの１画面分のＯＳＤ画像を作成する。【選択図】図１
2007208713.tif 000002
【特許請求の範囲】
【請求項１】
ＯＳＤ発生部で発生するＯＳＤ画像のサイズによって入力映像信号が有する映像フォーマットの１画面を複数の分割画面に分割し、前記ＯＳＤ発生部において前記入力映像信号の１画面当り複数のＯＳＤ画像を発生させて前記分割画面の個々に割り当て、複数のＯＳＤ画像の合成により前記入力映像信号が有する映像フォーマットに応じたサイズの１画面分のＯＳＤ画像を作成することを特徴とするディジタル映像表示方法。
【請求項２】
請求項１に記載のディジタル映像表示方法において、
前記入力映像信号が有する映像フォーマットのサイズの１画面を複数の分割画面に分割する際に、該分割画面のサイズが前記ＯＳＤ発生部で発生するＯＳＤ画像のサイズよりも小さくなるときは、前記ＯＳＤ発生部により該小さな分割画面のサイズに応じた大きさのＯＳＤ画像を発生して前記小さなサイズの分割画面に割り当てることを特徴とするデジタル映像表示方法。
【請求項３】
請求項１又は２に記載のディジタル映像表示方法において、
前記ＯＳＤ発生部で発生するＯＳＤ画像がインタレース方式であり、前記入力映像信号がプログレッシブ方式であるとき、前記ＯＳＤ発生部において奇数フィールドおよび偶数フィールドで同一の内容のＯＳＤ画像を発生するようにしたことを特徴とするディジタル映像表示方法。
【請求項４】
請求項１、２又は３に記載のディジタル映像表示方法において、
前記入力映像信号の映像フォーマットに応じた１画面分の前記ＯＳＤ画像の各画素信号にＯＳＤ画素有効識別信号を含ませ、該ＯＳＤ画素有効識別信号の有効／無効に応じて前記入力映像信号と前記ＯＳＤ画像の信号とを画素単位で選択することを特徴とするディジタル映像表示方法。
【請求項５】
ＯＳＤ画像が書き込まれる第１のＶＲＡＭを有するＯＳＤ発生部と、入力映像信号を処理する映像処理部と、前記ＯＳＤ発生部で発生したＯＳＤ画像信号と前記映像処理部から出力する入力映像信号の一方を選択して出力するＯＳＤ合成部と、を有するディジタル映像表示装置において、
前記ＯＳＤ合成部が前記第１のＶＲＡＭよりも大きな容量の第２のＶＲＡＭを備え、前記第１のＶＲＡＭから読み出した複数のＯＳＤ画像を前記第２のＶＲＡＭに複数回に亘り書き込み、前記第２のＶＲＡＭに前記入力映像信号の映像フォーマットの１画面分のＯＳＤ画像を組み立ることを特徴とするディジタル映像表示装置。
【請求項６】
請求項５に記載のディジタル映像表示装置において、
前記第２のＶＲＡＭにおける、前記入力映像信号の１画面分の画像サイズに応じた領域を、前記第１のＶＲＡＭの領域サイズにより複数に分割し、該分割した個々の領域に前記第１のＶＲＡＭから複数回に亘って読み出したＯＳＤ画像をそれぞれ書き込むことを特徴とするディジタル映像表示装置。
【請求項７】
請求項６に記載のディジタル映像表示装置において、
前記第２のＶＲＡＭの前記分割領域が前記第１のＶＲＡＭの領域サイズより小さいとき、前記第２のＶＲＡＭの前記小さい領域サイズの分割領域に応じたＯＳＤ画像を前記第１のＶＲＡＭに書き込んで前記第２のＶＲＡＭの前記小さい領域サイズの分割領域に転移することを特徴とするディジタル映像表示装置。
【請求項８】
請求項５、６又は７に記載のディジタル映像表示装置において、
前記ＯＳＤ発生部で発生するＯＳＤ信号がインタレース方式であり、前記入力映像信号がプログレッシブ方式であるのとき、前記ＯＳＤ発生部は奇数フィールドおよび偶数フィールドで同一の内容のＯＳＤ画像の信号を発生することを特徴とするディジタル映像表示装置。
【請求項９】
請求項６、７又は８に記載のディジタル映像表示装置において、
前記第２のＶＲＡＭに書き込まれる信号にＯＳＤ画素有効識別信号を含ませ、前記第２のＶＲＡＭから読み出された画素の前記ＯＳＤ画素有効識別信号の有効／無効に応じて前記映像処理部から出力する入力映像信号と前記第２のＶＲＡＭから読み出されるＯＳＤ画像の信号とを画素単位で切り替えて出力する映像セレクタを備えたことを特徴とするディジタル映像表示装置。
【発明の詳細な説明】
【技術分野】
【０００１】
本発明は、小さなサイズのＯＳＤ画像を用いてより大きなサイズのＯＳＤ画像を生成し、ＯＳＤ機能を発揮できるようにしたディジタル映像表示方法および装置に関するものである。
【背景技術】
【０００２】
図６に従来のディジタル映像表示装置の概略構成を示す。１０Ａはディジタルチューナ、２０は映像処理部、４０はディスプレイである。ディジタルチューナ１０Ａにおいて、ダウンコンバータ１１は、外部から入力するＲＦ（高周波）信号をＩＦ（中間周波）信号に変換する。デモジュレータ１２は、ＩＦ信号を映像信号、音声信号、ＳＩ（System Information）データ等が混成されたＴＳ（Transport Stream）信号に変換する。デマルチプレクサ１３は、そのＴＳ信号を分解して、映像のＴＳ信号、音声のＴＳ信号、ＳＩデータのＴＳ信号を生成する。ＭＰＥＧ映像デコーダ１４は、ＭＰＥＧ映像信号をデコードして非圧縮の映像信号を生成する。ＭＰＥＧ音声デコーダ１５は、ＭＰＥＧ音声信号をデコードして非圧縮の音声信号を出力する。ＣＰＵ１６Ａは、デマルチプレクサ１３から受け取ったＳＩデータを解析し、Closed Caption、番組情報等を取り出し、取り出した情報に基づき、ＯＳＤ画像の書き込み命令をＯＳＤ発生部１７へ出力する。ＯＳＤ発生部１７は、ＣＰＵ１６Ａの書き込み命令に従って、ＯＳＤ画像を内容とするＯＳＤ信号Ｓ１を発生し、ＯＳＤ合成部１８へ出力する。ＯＳＤ合成部１８は、ＭＰＥＧ映像デコーダ１４から受け取った映像信号とＯＳＤ発生部１７から受け取ったＯＳＤ信号Ｓ１を合成して出力する。映像処理部２０は、ＯＳＤ合成部１８から受け取った映像信号を固定画素のディスプレイの画素数に応じたサイズの映像信号に変換する。ディスプレイ４０は映像を表示する。
【０００３】
ここで、図７を参照して、ＯＳＤ発生部１７周辺の動作を詳しく説明する。ＭＰＥＧ映像デコーダ１４は、ＴＳ信号中に含まれる映像フォーマット信号に従い、ＭＰＥＧ映像信号をデコードし、非圧縮の映像信号および同期信号を出力する。ＣＰＵ１６Ａは、映像フォーマットに応じた大きさの文字フォントやアイコン画像を選択するとともに、映像フォーマットに応じてＶＲＡＭ（ビデオＲＡＭ）１７１にＯＳＤデータを書き込む。ＯＳＤ発生部１７は、ＯＳＤ合成部１８を経由してＭＰＥＧ映像デコーダ１４から与えられる同期信号に同期して、ＶＲＡＭ読み出し部１７２によって、ＶＲＡＭ１７１に書き込まれたＯＳＤ画像のデータを読み出し、ＯＳＤ信号Ｓ１としてを出力する。ＯＳＤ合成部１８は、ＭＰＥＧ映像デコーダ１４およびＯＳＤ発生部１７から受け取った両映像信号を合成部１８１で合成して、映像処理部２０に出力する。
【０００４】
以上のように、従来のディジタル映像表示装置では、入力映像信号およびＯＳＤ信号Ｓ１が合成された後に映像処理部２０で画素数変換等の処理が行われていたので、(1)縮小処理が行われた場合はＯＳＤ画像の細部が潰れて判読し難くなり、逆に、拡大処理が成された場合はボヤケが発生する、(2)スクイーズ信号（１６：９のアスペクト比を持つ映像信号を水平方向に圧縮し４：３のアスペクト比で記録した信号）を本来のアスペクト比の映像に伸張する際に、ＯＳＤ画像も伸張処理され、この結果横長の歪んだＯＳＤ表示となる、等の問題があった。
【０００５】
そこで、ＯＳＤ合成を行う前に、入力映像信号の画像サイズに応じてＯＳＤ画像の画像サイズを拡大又は縮小する処理を行うことが提案されている（例えば、特許文献１参照）。また、ＯＳＤ合成を行う前に、入力映像信号の映像フォーマットを表示部の映像フォーマットに変換し、ＯＳＤのフォーマットを表示部と同一とすることが提案されている（例えば、特許文献２参照）。
【特許文献１】特開２００１−０１６５２１号公報
【特許文献２】特開２０００−１６５７７０号公報
【発明の開示】
【発明が解決しようとする課題】
【０００６】
しかしながら、入力映像信号の画像サイズに応じてＯＳＤの画像サイズを拡大又は縮小する処理は、映像フォーマットによってはＯＳＤ画像の縦横サイズ比が元のサイズ比と異なってきて、歪が生じる場合がある。また、ＯＳＤ画像の映像フォーマットを表示部と同一にすると、ＯＳＤ発生部の映像フォーマットを高画質用にしなければ表示品質が劣化するという問題がある。
【０００７】
本発明の目的は、ＯＳＤ画像品質が劣化せず、またＯＳＤ発生部に小規模のものが使用できるようにし、前記した問題を解決したディジタル映像表示方法および装置を提供することである。
【課題を解決するための手段】
【０００８】
上記目的を達成するために、請求項１にかかる発明のディジタル映像表示方法は、ＯＳＤ発生部で発生するＯＳＤ画像のサイズによって入力映像信号が有する映像フォーマットの１画面を複数の分割画面に分割し、前記ＯＳＤ発生部において前記入力映像信号の１画面当り複数のＯＳＤ画像を発生させて前記分割画面の個々に割り当て、複数のＯＳＤ画像の合成により前記入力映像信号が有する映像フォーマットに応じたサイズの１画面分のＯＳＤ画像を作成することを特徴とする。
請求項２にかかる発明は、請求項１に記載のディジタル映像表示方法において、前記入力映像信号が有する映像フォーマットのサイズの１画面を複数の分割画面に分割する際に、該分割画面のサイズが前記ＯＳＤ発生部で発生するＯＳＤ画像のサイズよりも小さくなるときは、前記ＯＳＤ発生部により該小さな分割画面のサイズに応じた大きさのＯＳＤ画像を発生して前記小さなサイズの分割画面に割り当てることを特徴とする。
請求項３にかかる発明は、請求項１又は２に記載のディジタル映像表示方法において、前記ＯＳＤ発生部で発生するＯＳＤ画像がインタレース方式であり、前記入力映像信号がプログレッシブ方式であるとき、前記ＯＳＤ発生部において奇数フィールドおよび偶数フィールドで同一の内容のＯＳＤ画像を発生するようにしたことを特徴とする。
請求項４にかかる発明は、請求項１、２又は３に記載のディジタル映像表示方法において、前記入力映像信号の映像フォーマットに応じた１画面分の前記ＯＳＤ画像の各画素信号にＯＳＤ画素有効識別信号を含ませ、該ＯＳＤ画素有効識別信号の有効／無効に応じて前記入力映像信号と前記ＯＳＤ画像の信号とを画素単位で選択することを特徴とする。
請求項５にかかる発明のディジタル映像表示装置は、ＯＳＤ画像が書き込まれる第１のＶＲＡＭを有するＯＳＤ発生部と、入力映像信号を処理する映像処理部と、前記ＯＳＤ発生部で発生したＯＳＤ画像信号と前記映像処理部から出力する入力映像信号の一方を選択して出力するＯＳＤ合成部と、を有するディジタル映像表示装置において、前記ＯＳＤ合成部が前記第１のＶＲＡＭよりも大きな容量の第２のＶＲＡＭを備え、前記第１のＶＲＡＭから読み出した複数のＯＳＤ画像を前記第２のＶＲＡＭに複数回に亘り書き込み、前記第２のＶＲＡＭに前記入力映像信号の映像フォーマットの１画面分のＯＳＤ画像を組み立ることを特徴とする。
請求項６にかかる発明は、請求項５に記載のディジタル映像表示装置において、前記第２のＶＲＡＭにおける、前記入力映像信号の１画面分の画像サイズに応じた領域を、前記第１のＶＲＡＭの領域サイズにより複数に分割し、該分割した個々の領域に前記第１のＶＲＡＭから複数回に亘って読み出したＯＳＤ画像をそれぞれ書き込むことを特徴とする。
請求項７にかかる発明は、請求項６に記載のディジタル映像表示装置において、前記第２のＶＲＡＭの前記分割領域が前記第１のＶＲＡＭの領域サイズより小さいとき、前記第２のＶＲＡＭの前記小さい領域サイズの分割領域に応じたＯＳＤ画像を前記第１のＶＲＡＭに書き込んで前記第２のＶＲＡＭの前記小さい領域サイズの分割領域に転移することを特徴とする。
請求項８にかかる発明は、請求項５、６又は７に記載のディジタル映像表示装置において、前記ＯＳＤ発生部で発生するＯＳＤ信号がインタレース方式であり、前記入力映像信号がプログレッシブ方式であるのとき、前記ＯＳＤ発生部は奇数フィールドおよび偶数フィールドで同一の内容のＯＳＤ画像の信号を発生することを特徴とする。
請求項９にかかる発明は、請求項６、７又は８に記載のディジタル映像表示装置において、前記第２のＶＲＡＭに書き込まれる信号にＯＳＤ画素有効識別信号を含ませ、前記第２のＶＲＡＭから読み出された画素の前記ＯＳＤ画素有効識別信号の有効／無効に応じて前記映像処理部から出力する入力映像信号と前記第２のＶＲＡＭから読み出されるＯＳＤ画像の信号とを画素単位で切り替えて出力する映像セレクタを備えたことを特徴とする
【発明の効果】
【０００９】
本発明によれば、ＯＳＤ画像のサイズによって入力映像信号が有する映像フォーマットの１画面を複数に分割して各分割画面にＯＳＤ画像を割り当て、複数のＯＳＤ画像の合成により１画面分のＯＳＤ画像を生成するので、合成されたＯＳＤ画像と入力映像信号の画像とは同じサイズとなり、かつＯＳＤ画像品質が劣化することはない。また、ＯＳＤ画像を発生するＯＳＤ発生部に小規模のＶＲＡＭを持たせても、大きな画面サイズのＯＳＤ画像を合成することができる。例えば、小規模の４８０ｉ用のＯＳＤ発生部を用いながら、７２０ｉ、１０８０ｉといったハイビジョンディスプレイに映像処理部による影響を受けることなく、ＯＳＤ画像を表示することができる。また、ディジタルテレビ用映像処理回路のＬＳＩには、ＶＴＲ用として４８０ｉの映像出力を有している場合が多く実施し易い利点もある。
【発明を実施するための最良の形態】
【００１０】
以下、本発明のディジタル映像表示装置の実施例について説明する。
【実施例１】
【００１１】
実施例１では、ディスプレイ４０がインタレース駆動である場合において、ＯＳＤ発生部のＯＳＤ画像に４８０ｉ（垂直有効ライン数が４８０、水平有効画素数が７２０のインタレース映像フォーマット）のものを使用し、１０８０ｉ（垂直有効ライン数が１０８０、水平有効画素数が１９２０のインタレース映像フォーマット）のＯＳＤ画像を合成する場合について説明する。
【００１２】
図１に本実施例のディジタル映像表示装置の構成を示す。このディジタル映像表示装置は、大きく４ブロックで構成されており、ディジタルチユーナ１０、映像処理部２０、ＯＳＤ合成部３０およびディスプレイ４０から成る。
【００１３】
ディジタルチューナ１０におけるダウンコンバータ１１、デモジュレータ１２、デマルチプレクサ１３、ＭＰＥＧ映像デコーダ１４、ＭＰＥＧ音声デコーダ１５、ＯＳＤ発生部１７に関して、およびディスプレイ４０に関しては、図６と同じであるため説明を省略する。１６はＣＰＵである。
【００１４】
図２に本実施例におけるＯＳＤ発生部１７周辺の詳しい構成を示す。ＣＰＵ１６はデマルチプレクサ１３から受け取ったＳＩデータを解析し、Closed Caption、番組情報等を取り出し、取り出した情報に基づき複数の画面に分割したＯＳＤ画像信号を生成し、ＯＳＤ発生部１７内のＶＲＡＭ１７１へ書き込む。ＣＰＵ１６はさらに、同ＶＲＡＭ１７１上に書き込まれたＯＳＤデータがディスプレイ４０上の画面のどの分割位置の信号であるかを示すＯＳＤ位置信号Ｓ２を出力する。ＯＳＤ発生部１７のＶＲＡＭ読み出し部１７２は、４８０ｉの同期信号に同期してＶＲＡＭ１７１からデータを読み出して出力する。
【００１５】
ＯＳＤ合成部３０は、ＣＰＵ１６から受け取ったＯＳＤ位置信号Ｓ２に基づき、ＶＲＡＭ１７１から読み出したＯＳＤ信号Ｓ１のデータを、ＶＲＡＭ書き込み部３２によってＶＲＡＭ１７１より大きな記憶容量のＶＲＡＭ３１の所定の領域に書き込む。ここに書き込まれたＯＳＤ信号Ｓ１のデータは、ＶＲＡＭ読み出し部３３によって読み出され、映像セレクタ３４に入力する。映像セレクタ３４は、ＣＰＵ１６から受け取ったＯＳＤ選択信号Ｓ３に基づき、映像処理部２０から受け取った映像信号又と選択的に出力する。
【００１６】
次に、本実施例に直接関わるＯＳＤ発生部１７とＯＳＤ合成部３０について、詳しく動作を説明する。１０８０ｉ信号は、前記したように、有効映像の１ライン当りの画素数が１９２０、ライン数が１０８０であるので、本実施例では、有効映像の１ライン当りの画素数が７２０、ライン数が４８０である４８０ｉのＯＳＤ画像を用いて、図３に示すように１０８０ｉ信号の画面を９区画に分割する。
【００１７】
ＯＳＤ画像を表示する際は、ＣＰＵ１６はまず、図３の区画(0)に対応するＯＳＤ信号Ｓ１のデータをＯＳＤ発生部１７のＶＲＡＭ１７１に書き込むと共に、ＯＳＤ位置信号Ｓ２として区画(0)である旨の信号を出力する。ＯＳＤ発生部１７は、ＶＲＡＭ１７１に書き込まれたＯＳＤ信号Ｓ１のデータを読み出し、４８０ｉの同期信号に同期してＯＳＤ合成部３０に対して出力する。ＯＳＤ合成部３０は、ＯＳＤ発生部１７からＯＳＤ信号Ｓ１のデータを受け取り、ＶＲＡＭ書き込み部３２によって、ＶＲＡＭ３１の図３の区画(0)に対応する領域に書き込む。この後同様に、ＣＰＵ１６は区画(1)〜(8)に対応するＯＳＤ信号Ｓ１のデータをＯＳＤ発生部１７に送り、上記と同様にして、順次ＯＳＤ合成部３０のＶＲＡＭ３１に書き込む。このとき、区画(2)、(5)、(6)〜(8)のように４８０ｉ信号の全画素が使用されるものでない場合は、４８０ｉ信号の画面の一部（例えば左上側）にＯＳＤ画像を書き込み、ＯＳＤ発生部１７のＶＲＡＭ１７１からＯＳＤ合成部３０のＶＲＡＭ３１の当該区画にデータを転送する。
【００１８】
ＶＲＡＭ３１に対して区画(0)〜(8)の書き込みが完了すると、ＣＰＵ１６はＯＳＤ選択信号Ｓ３を有効にして、映像セレクタ３４がＯＳＤ合成部３０内のＶＲＡＭ３１の信号を選択するようにする。これにより、ＯＳＤ合成部３０において、ＶＲＡＭ読み出し部３３によるＶＲＡＭ３１の読み出しを開始させれば、映像処理部２０からの同期信号に同期して、ＶＲＡＭ３１において９個のＯＳＤ画像で合成された１つのＯＳＤ画像の信号が出力される。なお、ＣＰＵ１６が、ＯＳＤ選択信号Ｓ３を無効にすれば、ＯＳＤ合成部３０は映像処理部２０からの映像信号を選択して出力する。
【実施例２】
【００１９】
実施例２では、ディスプレイ４０がプログレッシブ駆動である場合において、ＯＳＤ発生部１７のＯＳＤ画像に４８０ｉ（垂直有効ライン数が４８０、水平有効画素数が７２０のインタレース映像フォーマット）のものを使用し、７２０ｐ（垂直有効ライン数が７２０、水平有効画素数が１２８０のプログレッシブ映像フォーマット）のＯＳＤ画像を合成する場合について説明する。ハードウエア構成は図１、図２と同じである。
【００２０】
本実施例では、４８０ｉのＯＳＤ信号Ｓ１を用いて、ディスプレイ４０による表示領域を図４に示すように区画(0)〜(5)の６区画に分割する。本来インタレース信号である４８０ｉは、互いに相関を持った奇数フィールドと偶数フィールドを組み合わせて１フレームが構成されるが、ここではプログレッシブ用として扱うので、４８０ｉにおける各フィールドを互いに独立した２４０ライン、７２０画素からなるフレームとして扱う。
【００２１】
実施例１と同様の手順によりに、ＣＰＵ１６、ＯＳＤ発生部１７、ＯＳＤ合成部３０の動作を連動させ、区画(0)〜(5)へのＯＳＤ信号Ｓ１のデータをＯＳＤ合成部３０のＶＲＡＭ書き込み部３２によりＶＲＡＭ３１の当該区画(0)〜(5)に対応した領域に書き込み、ＶＲＡＭ読み出し部３３によりＯＳＤ合成部３０から読み出して、ディスプレイ４０に出力する。なお、ＯＳＤ発生部１７において発生するＯＳＤ信号Ｓ１のデータは、奇数フィールドと偶数フィールドの相関がないため、ＣＰＵ１６は両フィールドに同じＯＳＤ信号Ｓ１のデータを書き込み、どちらのフィールドのデータがＯＳＤ合成部１７のＶＲＡＭ１７１へ書き込まれてもよいようにする。つまり、４８０ｉの画面に対して見かけ上２ラインづつ変化するＯＳＤデータを書き込む。
【実施例３】
【００２２】
実施例１および２では、画面全体に対して、ＯＳＤ画像又は入力映像信号の通常画像（ＭＰＥＧ映像デコーダ１５が出力し、映像処理部２０を経由してＯＳＤ合成部３０へ入力される映像信号）を選択して出力する方法を説明した。
【００２３】
実施例３では、ＯＳＤ合成部３０において、各画素ごとに、ＯＳＤ画像と通常画像を選択して出力することにより、画面の一部にＯＳＤ映像を表示し、他の部分は通常映像を表示する方法を説明する。ハードウエア全体構成は図１と同じである。また、画面分割は図３又は図４と同じとする。
【００２４】
図５に本実施例におけるＯＳＤ発生部３０周辺の詳しい構成を図７に示す。実施例１および２とは、ＯＳＤ合成部３０内の映像セレクタ３４が、ＣＰＵ１６が出力するＯＳＤ選択信号Ｓ３に加えて、ＶＲＡＭ３１に書き込まれたデータの画素が表示有効か否かを示すＯＳＤ画素有効識別信号Ｓ４によっても制御される点が異なる。
【００２５】
一般的に、ディジタル映像信号は、ＲＧＢ（もしくはＹＣｂＣｒ）の３信号からなる合計２４（８×３）ビットまたは３０（１０×３）ビットのディジタル信号である。ＯＳＤ信号Ｓ１のデータには、自然画ほどのビット数は必要としないので、本実施例では、ＯＳＤ信号Ｓ１のデータとして、８ビットの３チャネルの各信号の上位７ビットにＯＳＤ信号Ｓ１のデータを割り当て、３チャネルのうちの１チャンネルの下位１ビット（ＬＳＢ）に、対応する画素がＯＳＤ信号Ｓ１のデータを有する否かを識別するＯＳＤ画素有効識別信号Ｓ４を割り当てる。
【００２６】
本実施例では、実施例１または２で示した方法により、ＯＳＤ画素有効識別信号Ｓ４を含むＯＳＤ信号Ｓ１のデータをＯＳＤ合成部３０のＶＲＡＭ３１へ書き込み、図３又は図４に示す画面構成に対応した内容にＯＳＤ画像を組み立てる。ＣＰＵ１６がＯＳＤ選択信号Ｓ３を有効にすると、映像セレクタ３４は、ＶＲＡＭ読み出し部３３Ａから出力するＯＳＤ画素有効識別信号Ｓ４に従って、読み出した画素ごとに映像処理部２０からの入力映像信号又はＶＲＡＭ３１から読み出したＯＳＤ画像信号を選択して出力する。この結果、ディスプレイ４０の画面にはその一部にのみＯＳＤ映像が表示され、残りの部分には入力映像が表示される。
【図面の簡単な説明】
【００２７】
【図１】本発明の実施例１のディジタル映像表示装置の概略構成を示すブロック図である。
【図２】図１におけるＯＳＤ発生部とＯＳＤ合成部の詳細な構成を示すブロック図である。
【図３】４８０ｉ信号を用いて１０８０ｉ信号の画像を９分割する説明図である。
【図４】実施例２における４８０ｉ信号を用いて７２０ｐ信号の画像を６分割する説明図である。
【図５】実施例３のディジタル映像表示装置におけるＯＳＤ発生部とＯＳＤ合成部の詳細な構成を示すブロック図である。
【図６】従来のディジタル映像表示装置の概略構成を示すブロック図である。
【図７】図６におけるＯＳＤ発生部とＯＳＤ合成部の詳細な構成を示すブロック図である。
【符号の説明】
【００２８】
１０，１０Ａ：ディジタルチューナ、１１：ダウンコンバータ、１２：デモジュレータ、１３：デマルチプレクサ、１４：ＭＰＥＧ映像デコーダ、１５：ＭＰＥＧ音声デコーダ、１６，１６Ａ：ＣＰＵ、１７：ＯＳＤ発生部、１７１：ＶＲＡＭ、１７２：ＶＲＡＭ読み出し部、１８：ＯＳＤ合成部
２０：映像処理部
３０：ＯＳＤ合成部、３１：ＶＲＡＭ、３２：ＶＲＡＭ書き込み部、３３，３３Ａ：ＶＲＡＭ読み出し部、３４：映像セレクタ
４０：ディスプレイ
【図１】
2007208713.tif 000003
【図２】
2007208713.tif 000004
【図３】
2007208713.tif 000005
【図４】
2007208713.tif 000006
【図５】
2007208713.tif 000007
【図６】
2007208713.tif 000008
【図７】
2007208713.tif 000009